(57)【特許請求の範囲】
【請求項１】
背板に対して左右側板をヒンジ棒で回動可能に連結した油除けパネルであって、
前記背板に対する左右側板の下方への高さを、所定高さ範囲で調整可能とし、前記ヒンジ棒の上部同士を架設体で連結し、その架設体が、前記左右側板を背板に対して重合状に折り畳んで後傾斜状に倒立させた際の座部を構成していることを特徴とする油除けパネル。
【請求項２】
背板に対して左右側板をヒンジ棒で回動可能に連結した油除けパネルであって、
前記背板と左右側板との相対的な高さを調整可能とし、前記ヒンジ棒の上部同士を架設体で連結し、その架設体が、前記左右側板を背板に対して重合状に折り畳んで後傾斜状に倒立させた際の座部を構成していることを特徴とする油除けパネル。
【請求項３】
前記背板、左右側板各々から突設されヒンジ棒を遊嵌状に挿通させる複数の抱持部と、背板と左右側板から高さを異にして突設された係合片とを有し、前記背板の係合片に対して左右側板の係合片を所定高さ高い位置に設けると共に、左右側板の係合片より高い高さに位置する同左右側板の抱持部を、背板の係合片より所定高さ高い位置に設けてなり、背板に対して左右側板を平面視で直角状に回動させた際、左右側板はその係合片が背板の係合片に係合するまで下降し、背板に対して左右側板を平面視で直線状もしくはそれよりも背後まで回動させた際、背板の係合片に対して左右側板の係合片が干渉せずに左右側板の前記抱持部が背板の係合片に係合するまで下降可能するように構成していることを特徴とする請求項１に記載の油除けパネル。
【発明の詳細な説明】
【０００１】
【発明の属する技術分野】
本発明は、フラットコンロ、ビルトインコンロ等の複数口コンロ（２〜４口コンロ）において調理時のコンロ一口を囲繞するように自立させて使用され、調理で発生する油等の飛散を防止する油除けパネルに関するものである。
【０００２】
【技術背景】
今日、コンロには、フラットコンロ、ビルトインコンロと呼称される複数口コンロが各社で提供されている。フラットコンロは、電磁誘導加熱式クッキングヒーター、ラジエントヒータ等を設置し、ビルトインコンロは、ガスコンロ、電器コンロ等を設置し機種によってコンロ周りに五徳を連続形成している。
一般に油除けパネルと言えば、そのフラットコンロ、ビルトインコンロ全体を囲繞する背板と、その背板に対して左右側板を回動可能に連結した平面視コの字状を呈している。
【０００３】
ところで、複数口コンロ（フラットコンロ、ビルトインコンロ）では、全てのコンロを使用して調理することよりもコンロ一口を使用して調理する場合が多い。そのため、コンロ一口を囲繞する油除けパネルの提供が急務となる。
【０００４】
しかしながら、フラットコンロ、ビルトインコンロ共に、調理で使用される鍋、フランパン等の調理器の方がコンロ一口よりも一回りも二回りも大きいのが実状である。
そのため、鍋、フライパン等の調理器を囲繞するように油除けパネルを自立させて使用すると左右側板のどちらか一方がフラットコンロ、ビルトインコンロ外に張り出してカウンタートップ上に臨んで無支持となる場合が往々にしてある。このようになると、油除けパネルのバランスが悪くなり、調理時の鍋、フライパン等の調理器や手等の接触によって容易に横倒して、使用勝手を悪くする問題があった。
尚、フラットコンロの現況品の標準タイプはカウンタートップから加熱面の高さが１２ｍｍ、ビルイトンコンロの標準タイプはカウンタートップから五徳の高さが５０ｍｍになっている。
【０００５】
【発明が解決しようとする課題】
本発明は上記従来事情に鑑みてなされたもので、その目的とする処は、フラットコンロ、ビルトインコンロのコンロ一口を使用する調理時に安定してそのコンロ一口回りに自立させることができる油除けパネルを提供することにある。
【０００６】
【課題を達成するための手段】
上記目的を解決するために講じる本発明の技術的手段は、背板に対して左右側板をヒンジ棒で回動可能に連結した油除けパネルであって、前記背板に対する左右側板の下方への高さを、所定高さ範囲で調整可能とし、前記ヒンジ棒の上部同士を架設体で連結し、その架設体が、前記左右側板を背板に対して重合状に折り畳んで後傾斜状に倒立させた際の座部を構成していることを特徴とする油除けパネルである（請求項１）。
ここで、前記所定高さ範囲とは、少なくとも標準タイプのビルトインコンロの五徳の高さ５０ｍｍを上限とする範囲を指している。
また、本発明では、背板に対して左右側板をヒンジ棒で回動可能に連結した油除けパネルであって、前記背板と左右側板との相対的な高さを調整可能とし、前記ヒンジ棒の上部同士を架設体で連結し、その架設体が、前記左右側板を背板に対して重合状に折り畳んで後傾斜状に倒立させた際の座部を構成していることを特徴とする油除けパネルにある（請求項２）。
【０００７】
フラットコンロ、ビルトインコンロの回りを囲繞する平面視がコの字状を呈している大型の油除けパネルは、使用時、不使用時に関係なくフラットコンロ、ビルイトンコンロ回りに放置されていたり、不使用時に背板に対して左右側板が重合するように折り畳まれてフラットコンロ、ビルトインコンロ回りの四隅等に立て掛けられるが、放置しておくとキッチンの内装性を害し、また、四隅などに立て掛けておくと、何かの拍子に倒れたりしてキッチンの使用感を損なうものであるが、本発明の請求項１、２では、背板に対して左右側板が重合状に折り畳まれたコンパクトな状態を保持する後傾斜状をもって横倒不能に倒立させることができる。
また、フラットコンロやビルトインコンロにおけるコンロ一口の回りを囲繞するように自立させて使用する時に、カウンタートップ上方に張り出す左右側板をカウンタートップに載置して安定して自立させることができる。
【０００８】
さらに、本発明では、請求項１における所定高さ範囲で調整可能にするための手段は、背板、左右側板各々から突設されヒンジ棒を遊嵌状に挿通させる複数の抱持部と、背板と左右側板から高さを異にして突設された係合片とを有し、前記背板の係合片に対して左右側板の係合片を所定高さ高い位置に設けると共に、左右側板の係合片より高い高さに位置する同左右側板の抱持部を、背板の係合片より所定高さ高い位置に設けてなり、背板に対して左右側板を平面視で直角状に回動させた際、左右側板はその係合片が背板の係合片に係合するまで下降し、背板に対して左右側板を平面視で直線状もしくはそれよりも背後まで回動させた際、背板の係合片に対して左右側板の係合片が干渉せずに左右側板の前記抱持部が背板の係合片に係合するまで下降可能するように構成していることを特徴する油除けパネルにある（請求項３）。
ここで、前記背板の係合片に対する左右側板の係合片の所定高さとは、少なくとも標準タイプの加熱面の高さ１２ｍｍを指し、また、前記背板の係合片に対する左右側板の抱持部の所定高さとは、少なくとも標準タイプの五徳の高さ５０ｍｍを指している。
【０００９】
この構成によって、フラットコンロのコンロ一口を囲繞するように自立させて使用する時、左右側板がカウンタートップ上方に張り出すと左右側板の係合片が背板の係合片に係合するまで下降してその左右側板をそのカウンタートップに載置して安定して自立させる。
そして、ビルトインコンロのコンロ一口を囲繞するように自立させて使用する時に左右側板がカウンタートップ上方に張り出す場合には、背板に対して左右側板を平面視で直線状もしくはそれよりも背後まで回動させた状態にする。すると、背板の係合片に対して左右側板の係合片が干渉することなく左右側板の抱持部が背板の係合片に係合するまで左右側板は下降され、それによってカウンタートップに載置し、その状態で平面視コの字状に回動させて使用に供する。
従って、いちいちヒンジ棒を抜き取ることなく、フラットコンロ、ビルイトンコンロ双方の使用に対応できる。
【００１４】
【発明の実施の形態】
次に、本発明油除けパネルの実施の形態を説明すると、図１〜図１２は第１の実施の形態を、図１３及び図１４は第２の実施の形態を各々示している。まず、第１の実施の形態を説明すると、符号Ａがその油除けパネルである。
【００１５】
油除けパネルＡは、図１、図５、図１０等に示すようにフラットコンロＣ１、ビルトインコンロＣ２回りを囲繞する大型なもの（パネル）と同様に背板１に対して左右側板２、２をヒンジ部３を介して回動可能に連結した構成になっている。
背板１は、その上縁をパイプ補強し、左右側板２、２にあっては、上縁と前縦縁をパイプ補強したものを図示している。
【００１６】
ヒンジ部３、３は、図２、図３等に示すように線材（金属製、合成樹脂製）からなるヒンジ棒１３、１３と、そのヒンジ棒１３、１３の上端同士を連結する架設体２３と、背板１、左右側板２、２各々に設けられたヒンジ棒１３用の抱持部３３と、背板１、左右側板２、２各々に設けられ前記抱持部３３とで背板１に対する左右側板２、２の下方への高さを所定範囲で調整可能とする係合片４３とを備えた構造になっている。
【００１７】
前記架設体２３は、図１、図２等に示すように２本のヒンジ棒１３、１３の上端同士に線材（金属製、合成樹脂製）で後方へ下向傾斜状となる平面視コ形状に一体に連設して、後述する座部４を構成している。
【００１８】
前記抱持部３３は、図２〜図４等に示すように背板１と、左右側板２、２とは位置を異にして突設形成される。
この抱持部３３は、ヒンジ棒１３、１３に対して回動可能に遊外嵌する平面視略輪状を呈してなり、背板１においては、後縦縁上部と後縦縁下部各々に突設形成され（後述では後縦縁上部の抱持部３３を第１抱持部３３ａ、後縦縁下部の抱持部３３を第２抱持部３３ｂと称する）、また左右側板２、２にあっては、前記第１抱持部３３ａのすぐ下位の横縦縁部分及び中央部よりも若干下位の横縦縁部分に各々突設形成されている（後述では第１抱持部３３ａすぐ下位の横縦縁部分の抱持部３３を第３抱持部３３ｃ、中央部よりも若干下位の横縦縁部分の抱持部３３を第４抱持部３３ｄと称する）。
【００１９】
係合片４３は、図２、図３等に示すように背板１、左右側板２、２から鉛直な上下関係をおいて各々平面視逆向きなＬ形に突設形成される。
この係合片４３は、背板１にあっては、前記第４抱持部３３ｄすぐ上位の後縦縁部分から突設形成され（後述では第１係合片４３ａと称する）、また左右側板２、２にあってはその第１係合片４３ａに対して所定の間隔（１２ｍｍ）Ｌ１をおいた高い高さをもって側縦縁部分から突設形成されている（後述では第２係合片４３ｂと称する）。
【００２０】
第１、第２、第３、第４抱持部３３ａ、３３ｂ、３３ｃ、３３ｄ、第１、第２係合片４３ａ、４３ｂの位置関係は、図３に示すように油除けパネルＡを平面に載置した場合、背板１の第１抱持部３３ａ、第２抱持部３３ｂが上端と下端に位置するのに対して、左右側板２、２の第３抱持部３３ｃが背板１の前記第１抱持部３３ａの直ぐ下位レベルに位置し、左右側板２、２の第４抱持部３３ｄの直ぐ上位レベルに背板１の第１係合片４３ａが位置し、更にその第１係合片４３ａ上方に所定の間隔（１２ｍｍ）Ｌ１をおいて左右側板２、２の第２係合片４３ｂが位置し、前記左右側板２、２の第３抱持部３３ｃと背板１の第１係合片４３ａとの間に所定の間隔（５０ｍｍ）Ｌ２を確保したレイアウトになっている。
【００２１】
前記第１、第２係合片４３ａ、４３ｂは図３、４、６、７、８等に示すように、立ち上がり片４３ａ−１、４３ｂ−１と、それぞれの先端がヒンジ棒１３に合わせてＲ状に折曲形成した折曲片４３ａ−２、４３ｂ−２とからなっており、図３に示すように背板１に対して左右側板２、２を直角状に回動した時に、第１係合片４３ａの折曲片４３ａ−２が左右側板２、２の横縦縁とヒンジ棒１３、１３との間に、また第２係合片４３ｂの折曲片４３ｂ−２が背板１後縦縁とヒンジ棒１３、１３との間に各々回り込み、背板１に対して左右側板２、２を背後側に回動させた時には、図６、図７に示すように、背板１に対して左右側板２、２を下降させても、折曲片４３ａ−２、４３ｂ−２相互が干渉しないようにその折曲片４３ａ−２、４３ｂ−２の長さを設定させてある。
【００２２】
尚、折曲片４３ａ−２、４３ｂ−２を削除すると共に立ち上がり片４３ａ−１、４３ｂ−１の立ち上がり量を短く設定することによって、左右側板２、２を背板１に対して直角に回動した時には、左右側板２、２の第２係合片４３ｂが背板１の第１係合片４３ａに係合するまで下降し、左右側板を背板２、２を背板１に対して直線状になるまで回動させた時に、前記する第１、第２係合片４３ａ、４３ｂが互いに干渉しないようにすること自由なものである。
【００２３】
そして、仮に背板１を掴んで油除けパネルＡ自体を持ち上げると、第２係合片４３ｂが第１係合片４３ａに係合するまでの所定高さ（１２ｍｍ）だけ背板１に対して左右側板２、２が下降し、また、背板１に対して左右側板２、２を背後側まで回動して開いた図６の状態で、背板１を掴んで油除けパネルＡ自体を持ち上げた際、左右側板２、２の第２係合片４３ｂが背板１の第１係合片４３ａと干渉することなく左右側板２、２がその第３抱持部３３ｃを背板１の第１係合片４３ａに係合するまでの所定高さ（５０ｍｍ）だけ下降できるようになる。
無論、前記のように折曲片４３ａ−２、４３ｂ−２を削除すると共に立ち上がり片４３ａ−１、４３ｂ−１の立ち上がり量を短く設定した場合には、左右側板２、２を背板１に対して直線状になると、左右側板２、２の第２係合片４３ｂが背板１の第１係合片４３ａと干渉することなく左右側板２、２がその第３抱持部３３ｃを背板１の第１係合片４３ａに係合するまでの所定高さ（５０ｍｍ）だけ下降できるようになる。
【００２４】
従って、図５に示すようなフラットコンロＣ１のコンロ一口を使用して調理する時に、左右側板２、２の一方がカウンタートップＴ上方に臨むような配置レイアウトになる時には、その側板２はその第２係合片４３ｂが背板１の第１係合片４３ａに係合するまでの所定高さ（１２ｍｍ）下降して下面をカウンタートップＴに当接させた自立状態で使用される。
また、図１０に示すようなビルトインコンロＣ２のコンロ一口を使用して調理する時に、同様に左右側板２、２の一方がカウンタートップＴ上方に臨むような配置レイアウトになる時には、カウンタートップＴ上方に臨むその側板２を背板１に対して直線状もしくは背後側まで回動させて第２係合片４３ｂの折曲片４３ｂ−２が第１係合片４３ａの折曲片４３ｂ−２と相互に干渉しない関係にしてから、その側板２をその第３抱持部３３ｃが第１係合片４３ａに係合するまでの所定高さ（５０ｍｍ）だけ下降させた後、背板１に対してその側板２を直角状に回動させてその下面をカウンタートップＴに当接させることによって自立状態で使用される。尚符号５は五徳である。
【００２５】
即ち、図５のフラットコンロＣ１用にあっては、左右側板２、２の下方への高さを、背板１に対して１２ｍｍ（Ｌ１）以下の範囲内で、また図１０のビルトインコンロＣ２用にあっては、背板１に対して５０ｍｍ（Ｌ２）以下の範囲内で調整することができる。
そして、図１１、図１２に示すように不使用時には左右側板２、２を背板１に対して重合状に折り畳み逆様にした状態で前記座部４を利用してキッチンの四隅等に左右側板２、２が開かないコンパクトな状態で自立させておくことができる。
【００２６】
次に、図１３及び図１４に示す第２の実施の形態を説明すると、この実施の形態は、背板１の後縦縁部と左右側板２、２との横縦縁部とに、ヒンジ棒１３、１３の抱持部３３、３３を同抱持部３３の全高と同一間隔をおいて交互に櫛歯状に突設形成し、背板１に対して左右側板２、２を回動可能に連結するそのヒンジ棒１３、１３の上端同士を線材（金属製、合成樹脂製）からなる架設体２３で後方へ下向傾斜状となる平面視コ形状に一体に連設して前記実施の形態と同様の座部４を形成したものである。
【００２７】
この実施の形態では、上端に座部４を有するヒンジ棒１３、１３を抜き取った後、抱持部３３、３３の櫛歯状の噛み合い関係を上下にずらすことによって、背板１と左右側板２、２との相対的な高さを調整することができる。
また、図示しないが前記実施の形態と同様に不使用時には左右側板２、２を背板１に対して重合状に折り畳み逆様にした状態で前記座部４を利用してキッチンの四隅等を利用して左右側板が開くことのないコンパクトな状態で自立させることもできる。
【００２８】
尚、本発明では、前記する所定高さ範囲（Ｌ１以下、Ｌ２以下）に設定しているが、Ｌ１を１２ｍｍ以上、Ｌ２を５０ｍｍ以上の所要の値に設定すること任意であるし、第２の実施の形態において前記抱持部３３の高さが小さな程、背板１と左右側板２、２との相対的な高さ調整を小刻みに行えるようになること言うまでもないものである。
【００２９】
【発明の効果】
本発明は以上のように構成したので、下記の利点がある。
請求項１、２のように、背板に対して左右側板をヒンジ棒で回動可能に連結した油除けパネルであって、そのヒンジ棒の上部同士を架設体で連結し、背板に対する左右側板の下方への高さを、所定高さ範囲で調整可能に構成したり、背板と左右側板との相対的な高さを調整可能に構成している。そして、その架設体が、前記左右側板を背板に対して重合状に折り畳んで後傾斜状に倒立させた際の座部を構成する構成にあっては、背板に対して左右側板が重合状に折り畳まれたコンパクトな状態を保持する後傾斜状をもって安定して倒立することができる。
また、カウンタートップから上方に向けて加熱面や五徳が１２ｍｍ、５０ｍｍ突出する現況品の標準タイプのフラットコンロ、ビルトインコンロのコンロ一口を囲繞するように立てて使用したときに、左右側板の一方がカウンタートップ上方に張り出するようなことがあっても、その張り出した左右側板下端をカウンタートップに載置して、横倒不能にバランス良く自立させて使用することができる。
従って、不使用時にキッチンの内装性を害することがなければ、不意に倒れてキッチンの使用感を損なうこともなく、左右側板が開くことがないコンパクトな折り畳み状態でキッチンの四隅等を利用して仕舞うことができる。
【００３０】
しかも、請求項３のように構成したものにあっては、ヒンジ棒をいちいち抜き取ることなく、左右側板の一方がカウンタートップ上方に張り出しても、カウンタートップに載置して横倒不能に自立して使用されるフラットコンロ、ビルイトンコンロ用の油除けパネルを提供することができる。
【図面の簡単な説明】
【図１】  第１の実施の形態の油除けパネルをフラットコンロに使用する状態を示す斜視図。
【図２】  油除けパネルの分解斜視図。
【図３】  ヒンジ部分の斜視図。
【図４】  左右側板をその第２係合片が第１係合片に係合するまで下降させた状態を示す同ヒンジ部の斜視図。
【図５】  使用状態を示す正面図。
【図６】  ビルイトンコンロに使用するために左右側板を背板に対して背後まで大きく回動させた場合を示す要部の斜視図。
【図７】  左右側板を背板に対して下降させている状態を示す要部の拡大正面図。
【図８】  第３抱持部を第１係合片に係合するまで左右側板を下降させた状態を示す。
【図９】  第３抱持部を第１係合片に係合するまで左右側板を下降させた状態を示す側面図で部分的に示す。
【図１０】  使用状態を示す正面図。
【図１１】  逆様にして左右側板を背板と重合するように折り畳んでいる状態を示す斜視図。
【図１２】  倒立させた状態を示す斜視図。
【図１３】  第２の実施の形態の油除けパネルの要部の斜視図。
【図１４】  背板を左右側板に対して下降させて抱持部を櫛歯状の噛み合あわせる状態を示す同要部の正面図。
【符号の説明】
Ａ：  油除けパネル                      １：  背板
２、２：  左右側板                        ２３：  架設体
４：  座部                            １３：  ヒンジ棒
３３：  抱持部                          ４３：  係合片
Ｃ１：  フラットコンロ                  Ｃ２：  ビルトインコンロ
３：  ヒンジ部                          ５：  五徳
【図１】
0003893039.tif 000002
【図２】
0003893039.tif 000003
【図３】
0003893039.tif 000004
【図４】
0003893039.tif 000005
【図５】
0003893039.tif 000006
【図６】
0003893039.tif 000007
【図７】
0003893039.tif 000008
【図８】
0003893039.tif 000009
【図９】
0003893039.tif 000010
【図１０】
0003893039.tif 000011
【図１１】
0003893039.tif 000012
【図１２】
0003893039.tif 000013
【図１３】
0003893039.tif 000014
【図１４】
0003893039.tif 000015